(57)【要約】      （修正有）【課題】マタタビなどを上からふりかけても底面から漏れ出しにくい猫用爪研ぎを提供する。【解決手段】猫用爪研ぎ１は、上面が開口した箱部材１０と、箱部材の底面上に設置された中底部材２０と、中底部材上に設置された爪研ぎ部材３０とを有する。箱部材は、例えば、直方体又は立方体の形状を有しており、底面の大きさが３００〜４５０ｍｍ×２００〜３００ｍｍであり、高さが１００〜２００ｍｍであるものが好適である。また、箱部材は一般的な段ボール箱のように組み立て式であり、組み立て前の箱部材の底面は、複数に分割された状態で箱部材の側面に接続されていてもよい。中底部材としては、厚紙が好ましい。また爪研ぎ部材としては、段ボールが複数積層された段ボールブロックが好ましい。【選択図】図１
0003187972.tif 000002
【実用新案登録請求の範囲】
【請求項１】
上面が開口した箱部材と、前記箱部材の底面上に設置された中底部材と、前記中底部材上に設置された爪研ぎ部材とを有する猫用爪研ぎ。
【請求項２】
前記箱部材は、直方体又は立方体の形状を有する請求項１に記載の猫用爪研ぎ。
【請求項３】
前記箱部材の底面の大きさが３００〜４５０ｍｍ×２００〜３００ｍｍであり、前記箱部材の高さが１００〜２００ｍｍである請求項２に記載の猫用爪研ぎ。
【請求項４】
前記箱部材は組み立て式であり、組み立て前の前記箱部材の底面は、複数に分割された状態で前記箱部材の側面に接続されている請求項１〜３のいずれか１項に記載の猫用爪研ぎ。
【請求項５】
前記中底部材及び前記爪研ぎ部材は、前記箱部材の底面にはめ込むことが可能である請求項１〜４のいずれか１項に記載の猫用爪研ぎ。
【考案の詳細な説明】
【技術分野】
【０００１】
本考案は、猫が爪を研ぐための猫用爪研ぎに関する。
【背景技術】
【０００２】
猫には、カーペット、段ボール、木などに爪をたてて爪研ぎをする習性がある。その理由としては、古い爪をはがして鋭くするため、ニオイをつけて自分の場所であることを示すため、ストレス解消のためなどと言われている。そのため、放っておくと家のカーペット、柱、壁、家具など様々な場所で猫が爪研ぎをしてしまい、家中が傷だらけになってしまう。そこで、専用の猫用爪研ぎを猫に与えることが有効である。
【０００３】
特許文献１及び２には、平面状の猫用爪研ぎが記載されている。これらの猫用爪研ぎは、猫が遊びながらにして爪が研げるように工夫されている。また、非特許文献１には、「Ｇａｒｉ  Ｇａｒｉ  Ｌｏｕｎｇｅ（ガリガリラウンジ）」や「Ｇａｒｉ  Ｇａｒｉ  Ｃｉｒｃｌｅ（ガリガリサークル）」なる猫用爪研ぎが記載されている。これらの猫用爪研ぎは、猫がリラックスしてくつろぎながら爪を研ぐことができるように工夫されている。
【先行技術文献】
【特許文献】
【０００４】
【特許文献１】実開平４−７１４５０号公報
【特許文献２】特開平８−１１８号公報
【非特許文献】
【０００５】
【非特許文献１】http://www.aimcreate.co.jp/shouhin/products_mju.html
【考案の概要】
【考案が解決しようとする課題】
【０００６】
ところで、猫によっては、非特許文献１に記載された「Ｇａｒｉ  Ｇａｒｉ  Ｌｏｕｎｇｅ（ガリガリラウンジ）」や「Ｇａｒｉ  Ｇａｒｉ  Ｃｉｒｃｌｅ（ガリガリサークル）」よりも、単なる段ボール箱を好むことがある。その理由は定かではないが、段ボール箱の大きさが猫の身体にピッタリするからと考えられる。そこで、猫がよりリラックスしてくつろぎながら爪を研ぐことができるように、いわゆる段ボール箱に爪研ぎ部材を設置することが考えられる。しかし、段ボール箱の底面は、組み立て式になっていることが多く、マタタビなどを上からふりかけると、底面から漏れ出すことがあった。
【０００７】
そこで、本考案は、マタタビなどを上からふりかけても底面から漏れ出しにくい猫用爪研ぎを提供することを目的とする。
【課題を解決するための手段】
【０００８】
本考案は、上面が開口した箱部材と、前記箱部材の底面上に設置された中底部材と、前記中底部材上に設置された爪研ぎ部材とを有する猫用爪研ぎである。
【考案の効果】
【０００９】
本考案によれば、マタタビなどを上からふりかけても底面から漏れ出しにくい猫用爪研ぎを提供できる。
【図面の簡単な説明】
【００１０】
【図１】本考案の一実施形態に係る猫用爪研ぎの構成を示す模式的断面図である。
【図２】本考案の一実施形態に係る猫用爪研ぎの組み立て方法を示す模式的斜視図である。
【図３】本考案の一実施形態に係る猫用爪研ぎの使用状態を示す写真である。
【考案を実施するための形態】
【００１１】
本考案の一実施形態に係る猫用爪研ぎの構成を図１に示す。図１の猫用爪研ぎ１は、上面が開口した箱部材１０と、箱部材１０の底面上に設置された中底部材２０と、中底部材２０上に設置された爪研ぎ部材３０とを有する。このように、箱部材１０の底面上に爪研ぎ部材３０を直接設置するのではなく、その間に中底部材２０を設置することで、マタタビなどを上からふりかけても底面から漏れ出しにくくなる。
【００１２】
箱部材１０としては、直方体又は立方体の形状を有することが好ましく、例えば、いわゆる段ボール箱を用いることができる。箱部材１０の底面の大きさは、３００〜４５０ｍｍ×２００〜３００ｍｍとすることが好ましく、３５０〜４００ｍｍ×２３０〜２７０ｍｍとすることがより好ましく、例えば３７０ｍｍ×２５０ｍｍとすることができる。箱部材１０の高さは、１００〜２００ｍｍとすることが好ましく、１３０〜１８０ｍｍとすることがより好ましく、例えば１６０ｍｍとすることができる。
【００１３】
箱部材１０は、一般的な段ボール箱のように組み立て式であることが好ましい。より具体的には、組み立て前の箱部材１０の底面が、複数に分割された状態で箱部材１０の側面に接続されていることが好ましい。このような組み立て式の箱部材の場合、マタタビなどを上からふりかけると、底面から漏れ出すことがあったが、本考案によればそれを抑制することができる。
【００１４】
中底部材２０の材質としては、厚紙、段ボール、木、プラスチックなどが挙げられるが、厚紙が好ましい。厚紙の厚さは、例えば０．１〜０．５ｍｍ程度とすることができる。
【００１５】
爪研ぎ部材３０の材質としては、カーペット、段ボール、木などが挙げられるが、段ボールが好ましい。段ボール製の爪研ぎ部材３０としては、段ボールが複数積層された段ボールブロックが挙げられる。段ボールブロックであれば、上面が開口した箱部材に、簡単に設置することができる。
【００１６】
中底部材２０及び爪研ぎ部材３０は、箱部材１０の底面にはめ込むことが可能であることが好ましい。すなわち、中底部材２０及び爪研ぎ部材３０は、箱部材１０の底面と同一サイズ及び同一形状を有することが好ましい。中底部材２０を箱部材１０の底面と同一サイズ及び同一形状とすることで、マタタビなどを上からふりかけても底面から漏れ出しにくくなる。爪研ぎ部材３０を箱部材１０の底面と同一サイズ及び同一形状とすることで、箱部材１０の内部で爪研ぎ部材３０が動いたりせず、猫が爪を研ぎやすい。
【００１７】
一例として、本考案の一実施形態に係る猫用爪研ぎの組み立て方法を図２に示す。図２（ａ）に示すように、図２に示した箱部材１０は、底面１１と側面１２と上面１３からなる。まず、図２（ｂ）に示すように、底面１１が上に向いた状態で底面１１を組み立てる。次に、図２（ｃ）に示すように、底面１１が下に向くようにひっくり返す。そして、図２（ｄ）に示すように、上面１３を側面１２まで折り込み、内部の底面１１上に中底部材２０と爪研ぎ部材３０を設置する。
【００１８】
以上のような本考案に係る猫用爪研ぎであれば、その使用状態の一例を図３に示すように、猫がよりリラックスしてくつろぎながら爪を研ぐことができる。そして、マタタビなどを上からふりかけても底面から漏れ出しにくいものとなる。
【符号の説明】
【００１９】
１    猫用爪研ぎ
１０  箱部材
１１  底面
１２  側面
１３  上面
２０  中底部材
３０  爪研ぎ部材
【図１】
0003187972.tif 000003
【図２】
0003187972.tif 000004
【図３】
0003187972.tif 000005
【手続補正書】
【提出日】平成25年10月23日(2013.10.23)
【手続補正１】
【補正対象書類名】実用新案登録請求の範囲
【補正対象項目名】請求項５
【補正方法】変更
【補正の内容】
【請求項５】
前記中底部材及び前記爪研ぎ部材は、前記箱部材の底面と同一サイズ及び同一形状を有する請求項１〜４のいずれか１項に記載の猫用爪研ぎ。
【手続補正２】
【補正対象書類名】明細書
【補正対象項目名】００１０
【補正方法】変更
【補正の内容】
【００１０】
【図１】本考案の一実施形態に係る猫用爪研ぎの構成を示す模式的断面図である。
【図２】本考案の一実施形態に係る猫用爪研ぎの組み立て方法を示す模式的斜視図である。
【手続補正３】
【補正対象書類名】明細書
【補正対象項目名】００１８
【補正方法】変更
【補正の内容】
【００１８】
以上のような本考案に係る猫用爪研ぎであれば、猫がよりリラックスしてくつろぎながら爪を研ぐことができる。そして、マタタビなどを上からふりかけても底面から漏れ出しにくいものとなる。
【手続補正４】
【補正対象書類名】図面
【補正対象項目名】図３
【補正方法】削除
【補正の内容】